(57)【要約】  送風装置１は、空気の吸込口４及び吹出口５を開口する本体筐体１Ｃと、吸込口４から本体筐体１Ｃの内部に吸い込んだ空気を吹出口５に向けて流通させる送風部７と、吹出口５からの空気の吹出方向を水平面内で回転変位させる回転部２と、を備え、吹出口５が鉛直方向に沿って縦長の形状をなし、吹出口５からの空気の吹出方向の回転角度を任意の基準方向を中心とした第１所定角度範囲にして送風する第１回転モードと、吹出口５からの空気の吹出方向の回転角度を第１回転モードとは異なる任意の基準方向を中心とした第１回転モードより小さい第２所定角度範囲にして送風する第２回転モードと、有する。
2015118708.tif 000002
【特許請求の範囲】
【請求項１】
空気の吸込口及び吹出口を開口する本体筐体と、前記吸込口から前記本体筐体の内部に吸い込んだ空気を前記吹出口に向けて流通させる送風部と、前記吹出口からの空気の吹出方向を水平面内で回転変位させる回転部と、を備え、
前記吹出口が鉛直方向に沿って縦長の形状をなし、前記吹出口からの空気の吹出方向の回転角度を任意の基準方向を中心とした第１所定角度範囲にして送風する第１回転モードと、前記吹出口からの空気の吹出方向の回転角度を第１回転モードとは異なる任意の基準方向を中心とした第１回転モードより小さい第２所定角度範囲にして送風する第２回転モードと、を有し、第２回転モードの前記基準方向が第２回転モードで前記吹出口からの空気の吹出方向を回転変位させる指示を受け付けたときの空気の吹出方向であることを特徴とする送風装置。
【請求項２】
第２回転モードにおける前記吹出口からの空気の吹出方向の回転速度が、第１回転モードにおける前記吹出口からの空気の吹出方向の回転速度より速いことを特徴とする請求項１に記載の送風装置。
【請求項３】
空気の吸込口及び吹出口を開口する本体筐体と、前記吸込口から前記本体筐体の内部に吸い込んだ空気を前記吹出口に向けて流通させる送風部と、前記吹出口からの空気の吹出方向を水平面内で回転変位させる回転部と、を備え、
前記吹出口が鉛直方向に沿って縦長の形状をなし、前記回転部が任意の基準方向を中心とした所定角度範囲で前記吹出口からの空気の吹出方向を回転変位させる場合に、前記吹出口からの空気の吹出方向が前記基準方向を通過するときの空気の吹出方向の回転速度と、前記吹出口からの空気の吹出方向が前記基準方向とは異なる方向を通過するときの空気の吹出方向の回転速度と、が異なることを特徴とする送風装置。
【請求項４】
前記吹出口からの空気の吹出方向が前記基準方向を通過するときの空気の吹出方向の回転速度が、前記吹出口からの空気の吹出方向が前記基準方向とは異なる方向を通過するときの空気の吹出方向の回転速度より速いことを特徴とする請求項３に記載の送風装置。
【請求項５】
前記吹出口からの空気の吹出方向が前記基準方向から離れるに従って空気の吹出方向の回転速度が変化することを特徴とする請求項３または請求項４に記載の送風装置。
【請求項６】
空気の吸込口及び吹出口を開口する本体筐体と、前記吸込口から前記本体筐体の内部に吸い込んだ空気を前記吹出口に向けて流通させる送風部と、前記吹出口からの空気の吹出方向を水平面内で回転変位させる回転部と、を備え、
前記吹出口が鉛直方向に沿って縦長の形状をなし、前記回転部が任意の基準方向を中心とした所定角度範囲で前記吹出口からの空気の吹出方向を回転変位させる場合に、前記吹出口からの空気の吹出方向が前記基準方向を通過するときに吹き出される空気の流速と、前記吹出口からの空気の吹出方向が前記基準方向とは異なる方向を通過するときに吹き出される空気の流速と、が異なることを特徴とする送風装置。
【請求項７】
前記吹出口からの空気の吹出方向が前記基準方向を通過するときに吹き出される空気の流速が、前記吹出口からの空気の吹出方向が前記基準方向とは異なる方向を通過するときに吹き出される空気の流速より速いことを特徴とする請求項６に記載の送風装置。
【請求項８】
前記吹出口からの空気の吹出方向が前記基準方向から離れるに従って吹き出される空気の流速が変化することを特徴とする請求項６または請求項７に記載の送風装置。
【発明の詳細な説明】
【技術分野】
【０００１】
本発明は送風装置に関する。
【背景技術】
【０００２】
従来の送風装置が特許文献１に開示されている。特許文献１に記載された送風装置（扇風機）は本体送風部が支持部の上方に回転可能に支持されている。本体送風部はモータにより水平面内で支持部に対して相対的に回転する。そして、この送風装置は使用者がリモコンを操作すると、リモコンの方向を検出してモータを回転させて本体送風部の中心をリモコンの方に向けるようにしている。【０００３】
また、別の従来の送風装置が特許文献２に開示されている。特許文献２に記載された送風装置（扇風機）は気流発生部と空気の吹出口とが鉛直方向に沿って縦長の形状をなしている。気流発生部はスタンドの上方に支持され、左右方向回動機構により水平面内でスタンドに対して相対的に回転する。左右方向回動機構は気流発生部を左右方向に所定角度範囲だけ回転させて往復運動を行う所謂首振動作を実行する。
【先行技術文献】
【特許文献】
【０００４】
【特許文献１】特開平１−１１０８９５号公報
【特許文献２】特開２００２−２１３３８８号公報
【発明の概要】
【発明が解決しようとする課題】
【０００５】
しかしながら、上記特許文献２に記載された送風装置のように空気の吹出口を縦長に形成した場合、空気の吹出口の横幅が比較的狭いので、吹き出された空気の左右横方向への広がりが期待できない虞がある。これにより、例えば使用者のリモコン操作に伴って吹出口をリモコンの方に向ける場合、吹出口がリモコン（使用者）の方をうまく向かず、使用者に風が当たらないといった問題が起こる可能性があった。また、吹出口から吹き出された空気の左右横方向への広がりが小さいことにより、使用者が好適な涼感を得ることが困難であるといった課題があった。【０００６】
本発明は、上記の点に鑑みなされたものであり、空気の吹出口が鉛直方向に沿って縦長の形状をなす場合であっても、任意の方向に効果的に送風することが可能な送風装置を提供することを目的とする。
【課題を解決するための手段】
【０００７】
上記の課題を解決するため、本発明の送風装置は、空気の吸込口及び吹出口を開口する本体筐体と、前記吸込口から前記本体筐体の内部に吸い込んだ空気を前記吹出口に向けて流通させる送風部と、前記吹出口からの空気の吹出方向を水平面内で回転変位させる回転部と、を備え、前記吹出口が鉛直方向に沿って縦長の形状をなし、前記吹出口からの空気の吹出方向の回転角度を任意の基準方向を中心とした第１所定角度範囲にして送風する第１回転モードと、前記吹出口からの空気の吹出方向の回転角度を第１回転モードとは異なる任意の基準方向を中心とした第１回転モードより小さい第２所定角度範囲にして送風する第２回転モードと、を有し、第２回転モードの前記基準方向が第２回転モードで前記吹出口からの空気の吹出方向を回転変位させる指示を受け付けたときの空気の吹出方向であることを特徴としている。【０００８】
また、上記構成の送風装置において、第２回転モードにおける前記吹出口からの空気の吹出方向の回転速度が、第１回転モードにおける前記吹出口からの空気の吹出方向の回転速度より速いことを特徴としている。【０００９】
また、上記の課題を解決するため、本発明の送風装置は、空気の吸込口及び吹出口を開口する本体筐体と、前記吸込口から前記本体筐体の内部に吸い込んだ空気を前記吹出口に向けて流通させる送風部と、前記吹出口からの空気の吹出方向を水平面内で回転変位させる回転部と、を備え、前記吹出口が鉛直方向に沿って縦長の形状をなし、前記回転部が任意の基準方向を中心とした所定角度範囲で前記吹出口からの空気の吹出方向を回転変位させる場合に、前記吹出口からの空気の吹出方向が前記基準方向を通過するときの空気の吹出方向の回転速度と、前記吹出口からの空気の吹出方向が前記基準方向とは異なる方向を通過するときの空気の吹出方向の回転速度と、が異なることを特徴としている。【００１０】
また、上記構成の送風装置において、前記吹出口からの空気の吹出方向が前記基準方向を通過するときの空気の吹出方向の回転速度が、前記吹出口からの空気の吹出方向が前記基準方向とは異なる方向を通過するときの空気の吹出方向の回転速度より速いことを特徴としている。【００１１】
また、上記構成の送風装置において、前記吹出口からの空気の吹出方向が前記基準方向から離れるに従って空気の吹出方向の回転速度が変化することを特徴としている。【００１２】
また、上記の課題を解決するため、本発明の送風装置は、空気の吸込口及び吹出口を開口する本体筐体と、前記吸込口から前記本体筐体の内部に吸い込んだ空気を前記吹出口に向けて流通させる送風部と、前記吹出口からの空気の吹出方向を水平面内で回転変位させる回転部と、を備え、前記吹出口が鉛直方向に沿って縦長の形状をなし、前記回転部が任意の基準方向を中心とした所定角度範囲で前記吹出口からの空気の吹出方向を回転変位させる場合に、前記吹出口からの空気の吹出方向が前記基準方向を通過するときに吹き出される空気の流速と、前記吹出口からの空気の吹出方向が前記基準方向とは異なる方向を通過するときに吹き出される空気の流速と、が異なることを特徴としている。【００１３】
また、上記構成の送風装置において、前記吹出口からの空気の吹出方向が前記基準方向を通過するときに吹き出される空気の流速が、前記吹出口からの空気の吹出方向が前記基準方向とは異なる方向を通過するときに吹き出される空気の流速より速いことを特徴としている。【００１４】
また、上記構成の送風装置において、前記吹出口からの空気の吹出方向が前記基準方向から離れるに従って吹き出される空気の流速が変化することを特徴としている。
【発明の効果】
【００１５】
本発明の構成によれば、空気の吹出口が鉛直方向に沿って縦長の形状をなす場合であっても、任意の方向に効果的に送風することが可能な送風装置を提供することができる。
【図面の簡単な説明】
【００１６】
【図１】本発明の第１実施形態に係る送風装置の前方から見た外観斜視図である。
【図２】本発明の第１実施形態に係る送風装置の後方から見た外観斜視図である。
【図３】本発明の第１実施形態に係る送風装置の外装カバーを外した側面図である。
【図４】本発明の第１実施形態に係る送風装置の構成を示すブロック図である。
【図５】本発明の第１実施形態に係る送風装置の上面図である。
【図６】本発明の第１実施形態に係る送風装置のリモコンの上面図である。
【図７】本発明の第１実施形態に係る送風装置の首振動作の回転の角度範囲を示す上面図である。
【図８】本発明の第１実施形態に係る送風装置の首振動作時における首振モータの制御方法を示す説明図である。
【図９】本発明の第１実施形態に係る送風装置の第２回転モードにおける首振動作の設定処理を示すフローチャートである。
【図１０】本発明の第２実施形態に係る送風装置の首振動作時における首振モータの制御方法を示す説明図である。
【図１１】本発明の第３実施形態に係る送風装置の首振動作時における首振モータの制御方法を示す説明図である。
【図１２】本発明の第４実施形態に係る送風装置の首振動作時における首振モータの制御方法を示す説明図である。
【図１３】本発明の第５実施形態に係る送風装置の首振動作時における首振モータの制御方法を示す説明図である。
【図１４】本発明の第６実施形態に係る送風装置の首振動作時におけるファンモータの制御方法を示す説明図である。
【図１５】本発明の第７実施形態に係る送風装置の首振動作時におけるファンモータの制御方法を示す説明図である。
【図１６】本発明の第８実施形態に係る送風装置の首振動作時におけるファンモータの制御方法を示す説明図である。
【図１７】本発明の第９実施形態に係る送風装置の首振動作時におけるファンモータの制御方法を示す説明図である。
【発明を実施するための形態】
【００１７】
以下、本発明の実施形態を図１〜図１７に基づき説明する。
【００１８】
＜第１実施形態＞
最初に、本発明の第１実施形態に係る送風装置について、図１〜図４を用いてその構造の概略を説明する。図１及び図２は送風装置の前方及び後方から見た外観斜視図である。図３は送風装置の外装カバーを外した状態の側面図、図４は送風装置の構成を示すブロック図である。図１〜図３の白抜き矢印は送風装置による空気の流通経路及び流通方向を示している。
【００１９】
送風装置１は、図１及び図２に示すように本体筐体１Ｃとして、略柱状をなす回転部２とその下方に配置した設置部３とを備える。
【００２０】
設置部３は平面視円形に形成されて床面等の設置面の上に設置される。設置部３は電源コード８と、その先端に設けた不図示の電源プラグとを備える。送風装置１は電源コード８及び電源プラグを介して商用交流電源から電力の供給を受け、動作する。
【００２１】
回転部２は設置部３の上に上下方向に縦長に延びるように立てた状態にして配置される。回転部２は底面が円形に形成され、上下方向略中央部から上端にかけての部分が略直方体形状で形成される。
【００２２】
回転部２はその前面に受信部１０を備え、背面に把持部１１を備える。受信部１０は後述するリモコン６０（図６参照）が送信した信号を受信する。把持部１１は回転部２の背面から内側に向かって窪んだ凹部として形成される。使用者は把持部１１に手をかけて送風装置１を把持し、持ち運ぶ。
【００２３】
回転部２は設置部３に対して、その底面の径方向中心で上下方向に延びる回転軸線２ａを中心に水平面内で回転可能に設けられる。回転部２は、図３に示すようにその下部に首振モータ４１を備える。首振モータ４１を駆動すると、回転部２は設置部３に対して回転軸線２ａを中心に水平面内で回転変位し、所定角度の範囲で往復変位する首振動作を実行する。これにより、回転部２は後述する吹出口５からの空気の吹出方向を水平面内で回転変位させる。
【００２４】
回転部２は下部側面に開口する吸込口４と、上部正面に開口する吹出口５と、送風通路２０とを備える。送風通路２０は、図３に示すように回転部２の内部に配置されて上下方向に延び、吸込口４と吹出口５とを連通させる。吸込口４には塵埃を捕集する不図示の集塵フィルタと、複数の通気孔を開口した通気板９とが配置される。吹出口５は左右横方向の長さに対して縦方向の長さが長く、すなわち鉛直方向に沿って縦長の形状をなす。
【００２５】
送風通路２０の空気流通方向下流部は上方に向かって延びるとともに前方に向かって湾曲する。送風通路２０の空気流通方向下流部は５枚の仕切り板２１により６本の通風路２２に区分される。
【００２６】
通風路２２の入口部２３は後述するイオン発生装置３０の配置箇所のすぐ下流に位置し、出口部２４は吹出口５のすぐ上流に位置する。６本の通風路２２は入口部２３において送風装置１の前後方向に一列に並び、出口部２４において上下方向に一列に並ぶ。
【００２７】
通風路２２の出口部２４と吹出口５との間には６枚の可動ルーバー２５が設けられる。可動ルーバー２５は各々上流端が５枚の仕切り板２１と出口部２４の最下方の壁板２６とに連続して取り付けられる。可動ルーバー２５は下流部がルーバーモータ４２に連結される。ルーバーモータ４２を駆動すると、６枚の可動ルーバー２５の下流部が揃って上下方向に変位する。
【００２８】
送風通路２０の下部にはファンモータ４０により回転駆動するシロッコファンを有する送風部７が配置される。送風部７の不図示の吸気口は吸込口４に隣接し、送風部７の排気口７ａは上方を指向する。送風部７は吸込口４から吸い込んだ空気を送風通路２０を通して吹出口５に向かって流通させる。
【００２９】
送風部７の上方であって空気流通方向の下流側にはイオン発生装置３０が配置される。イオン発生装置３０により発生するイオンは送風通路２０を流通する気流に含ませられる。また、回転部２の内部には図３及び図４に示す制御部５０が設けられる。
【００３０】
イオン発生装置３０は送風部７に対して空気流通方向の下流側に配置される。イオン発生装置３０は正イオン発生部及び負イオン発生部（いずれも不図示）を備える。正イオン発生部は不図示の正放電電極を備え、負イオン発生部は不図示の負放電電極を備える。二対の正放電電極及び負放電電極は各々針状に形成されて所定の間隔で並べて配置され、送風通路２０に臨んで設けられる。
【００３１】
イオン発生装置３０は正放電電極及び負放電電極に高圧電気発生回路で生成した高電圧を供給して放電を発生させ、イオンを放出する。ここで、イオン発生装置３０の正放電電極及び負放電電極には交流波形またはインパルス波形から成る電圧が印加される。正放電電極には正電圧が印加され、コロナ放電による水素イオンが空気中の水分と結合して主としてＨ+（Ｈ2Ｏ）ｍから成る正イオンを発生する。負放電電極には負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００３２】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、イオン発生装置３０は送風通路２０の内部を流通する空気に対して正放電電極及び負放電電極で放電により発生させた正イオン及び負イオンを含ませるように放出することにより、例えば室内の殺菌や脱臭を行うことができる。
【００３３】
Ｈ+(Ｈ2Ｏ)ｍ＋Ｏ2-(Ｈ2Ｏ)ｎ
→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３４】
なお、本実施形態ではイオン発生装置３０によって正イオン及び負イオンを発生しているが、正イオンのみまたは負イオンのみを発生しても良い。
【００３５】
また、ここで述べるイオンには帯電微粒子水も含むものとする。このとき、イオン発生装置３０は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【００３６】
イオン発生装置３０は正イオンまたは負イオンのいずれかと、正イオンまたは負イオンの逆極性に帯電した微粒子水とを発生する静電霧化装置からなるものであっても良い。負イオン若しくは負に帯電した微粒子水が発生すると、室内の殺菌や脱臭に加えて、リラックス効果も生まれるとされている。
【００３７】
続いて、送風装置１の操作パネル及びリモコンの詳細な構成について、図５〜図８を用いて説明する。図５は送風装置１の上面図、図６はリモコンの上面図、図７は送風装置１の首振動作の回転の角度範囲を示す上面図である。図８は送風装置１の首振動作時における首振モータ４１の制御方法を示す説明図である。
【００３８】
回転部２の上面には操作パネル６が配置される。操作パネル６はタッチパネルにより形成され、複数の操作ボタン等を備える。操作ボタンは運転ボタン６ａ、風量切替ボタン６ｂ、６ｃ、イオン発生モードボタン６ｄ、リセットボタン６ｇ、首振ボタン６ｈ及び首振角度設定ボタン６ｋからなる。また、操作パネル６はフィルタ交換ランプ６ｅを備える。なお、操作パネル６は回転部２の側面等に設けても良い。
【００３９】
運転ボタン６ａは回転部２の回動軸２ａ（図１及び図２参照）上に配置され、送風装置１の電源のＯＮ／ＯＦＦを切り替える。運転ボタン６ａの操作により電源をＯＮにするとイオン発生装置３０及びファンモータ４０の駆動が開始される。風量切替ボタン６ｂ、６ｃの操作によりファンモータ４０の回転数を変動させると送風装置１が吹出口５から吹き出す空気の流速が調整される。
【００４０】
イオン発生モードボタン６ｄを操作すると予め設定された運転モードを切り替えることができる。イオン発生装置３０は涼風イオンモード、室内清浄モード、衣類脱臭モード及び見張りモードの４つのモードを備え、状況に応じて切り替えて使用される。フィルタ交換ランプ６ｅは例えばＬＥＤ光源からなり、集塵フィルタ（不図示）の交換時期が来ると点灯する。リセットボタン６ｇはフィルタ交換時に押して、点灯したフィルタ交換ランプ６ｅを消灯する。
【００４１】
首振ボタン６ｈは回転部２の首振動作の停止中に押されると首振動作を開始し、首振動作の実行中に押されると首振動作を停止する。なお、操作パネル６のいずれの操作ボタンであっても回転部２が首振動作中に設定した機能は無効になる。
【００４２】
首振角度設定ボタン６ｋは吹出口５からの空気の吹出方向について任意の基準方向を中心とし、首振動作の回転角度を所定の角度範囲（第１所定角度範囲）に設定するために操作される。例えば、首振動作の回転の角度範囲（第１所定角度範囲）は３０°、６０°、９０°及び１２０°の４種類の角度に設定することができる（図７参照）。首振角度設定ボタン６ｋを押すたびに首振動作の回転の角度範囲を３０°、６０°、９０°、１２０°の順に変更することができ、１２０°のときにさらに押すと３０°に戻る。
【００４３】
このようにして、首振角度設定ボタン６ｋが押されると、送風装置１は首振動作の回転の角度範囲を第１所定角度範囲にして送風する第１回転モードで首振動作を実行する。
【００４４】
操作パネル６の各操作ボタンの間のスペース６ｆは使用者が接触したことをタッチパネルによって検知することができるようになっている。
【００４５】
また、送風装置１は、図６に示す送風装置１を遠隔操作するリモコン６０を備える。リモコン６０はその一面に不図示の送信部を備え、回転部２の受信部１０に対して送風装置１の操作に係る信号を送信する。
【００４６】
リモコン６０はその上面に複数の操作ボタンを備える。リモコン６０の操作ボタンは運転ボタン６０ａ、風量切替ボタン６０ｂ、６０ｃ、イオン発生モードボタン６０ｄ、首振ボタン６０ｈ、首振角度設定ボタン６０ｋ及びパーソナルモードボタン６０ｍからなる。
【００４７】
運転ボタン６０ａは送風装置１の電源のＯＮ／ＯＦＦを切り替え、電源をＯＮにするとイオン発生装置３０及びファンモータ４０の駆動が開始される。風量切替ボタン６０ｂ、６０ｃの操作によりファンモータ４０の回転数を変動させると送風装置１が吹出口５から吹き出す空気の流速が調整される。イオン発生モードボタン６０ｄを操作すると予め設定された運転モードを切り替えることができる。
【００４８】
首振ボタン６０ｈを操作すると回転部２の首振動作の実行と停止とを切り替えることができる。首振角度設定ボタン６０ｋは吹出口５からの空気の吹出方向について任意の基準方向を中心とし、首振動作の回転角度を所定の角度範囲（第１所定角度範囲）に設定するために操作される。
【００４９】
パーソナルモードボタン６０ｍは回転部２の首振動作に係る操作ボタンであって、首振角度設定ボタン６０ｋとは異なる基準方向と回転の角度範囲（第２所定角度範囲）とに設定することができる。パーソナルモードボタン６０ｍが押されると、リモコン６０が送信した信号を受信部１０が受信したときの吹出口５からの空気の吹出方向が基準方向として設定される。さらに、パーソナルモードボタン６０ｍは首振動作の回転の角度範囲（第２所定角度範囲）を例えば１５°に設定する（図７参照）。
【００５０】
このようにして、パーソナルモードボタン６０ｍが押されると、送風装置１は首振動作の回転の角度範囲を第２所定角度範囲にして送風する第２回転モード（パーソナルモード）で首振動作を実行する。すなわち、第２回転モードは第１回転モードとは異なる任意の基準方向を中心とし、首振動作の回転の角度範囲を第１回転モードの第１所定角度範囲（例えば３０°、６０°、９０°及び１２０°）より小さい第２所定角度範囲（例えば１５°）に設定して送風する。
【００５１】
また、送風装置１は第２回転モードにおける吹出口５からの空気の吹出方向の回転速度が、第１回転モードにおける吹出口５からの空気の吹出方向の回転速度より速くなるよう設定する。すなわち、第２回転モード時の回転部２の回転速度が第１回転モード時の回転部２の回転速度より速くなるよう設定する。第２回転モード時の回転部２の回転速度が第１回転モード時の回転部２の回転速度より速くする方法としては、首振モータ４１が例えばステッピングモータである場合にＰＷＭ（Pulse Width Modulation）制御を利用する。
【００５２】
図８には、下側に首振動作時の送風装置１の回転部２の回転状態を上面図で示し、上側に第１回転モード時及び第２回転モード時の首振モータ４１のＰＷＭ制御波形を示している。図８に示したように、第２回転モード時の首振モータ４１に対するＰＷＭ制御のデューティー（Duty）比Ｄ２を第１回転モード時の首振モータ４１に対するＰＷＭ制御のデューティー（Duty）比Ｄ１より大きくなるよう設定する。
【００５３】
続いて、送風装置１の第２回転モードにおける首振動作の設定処理について、図９に示すフローに沿って説明する。図９は第２回転モードにおける首振動作の設定処理を示すフローチャートである。
【００５４】
送風装置１の運転が開始されると（図９のスタート）、送風装置１はパーソナルモードボタン６０ｍが押されたか否かを判定する（図９のステップ＃１０１）。
【００５５】
パーソナルモードボタン６０ｍが押された場合（ステップ＃１０１のＹｅｓ）、送風装置１はパーソナルモードボタン６０ｍが押されたことに伴いリモコン６０が送信した信号を受信部１０が受信したときの吹出口５からの空気の吹出方向を基準方向として設定する（ステップ＃１０２）。続いて、送風装置１は基準方向を中心とした１５°の第２所定角度範囲に首振動作の回転の角度範囲を設定し、回転部２を回転させる（ステップ＃１０３）。
【００５６】
その後、送風装置１は第２回転モードにおける首振動作の設定処理を終了する（図９のエンド）。一方、ステップ＃１０１においてパーソナルモードボタン６０ｍが押されていない場合（ステップ＃１０１のＮｏ）、送風装置１はそれまでに設定された機能を継続して送風運転を実行し、第２回転モードにおける首振動作の設定処理を終了する（図９のエンド）。
【００５７】
なお、パーソナルモードボタン６０ｍが押されたとき、送風装置１が第１回転モードで首振動作を実行している場合、第２回転モードで首振動作を実行している場合、首振動作を実行していない場合、いずれの状態であっても同様に、送風装置１は第２回転モードに係る信号を受信部１０が受信したときの吹出口５からの空気の吹出方向を基準方向とし（ステップ＃１０２）、１５°の角度範囲で回転部２を回転させる（ステップ＃１０３）。
【００５８】
このようにして、使用者がリモコン６０を操作してパーソナルモードボタン６０ｍを押すと、使用者が所望する吹出口５からの空気の吹出方向が基準方向となり、その基準方向を中心とした比較的狭い角度範囲で送風装置１が首振動作を実行する。
【００５９】
＜第２実施形態＞
次に、本発明の第２実施形態の送風装置について、図１０を用いて説明する。図１０は送風装置の首振動作時における首振モータの制御方法を示す説明図である。なお、この実施形態の基本的な構成は先に説明した第１実施形態と同じであるので、第１実施形態と共通する構成要素には前と同じ符号を付してその説明を省略するものとする。
【００６０】
第２実施形態の送風装置１は、回転部２が任意の基準方向を中心とした所定角度範囲で吹出口５からの空気の吹出方向を回転変位させる、すなわち首振動作を行う場合に、吹出口５からの空気の吹出方向が基準方向を通過するときの空気の吹出方向の回転速度と、吹出口５からの空気の吹出方向が基準方向とは異なる方向を通過するときの空気の吹出方向の回転速度と、を異ならせる。
【００６１】
例えば、送風装置１は吹出口５からの空気の吹出方向が基準方向を通過するときの空気の吹出方向の回転速度が、吹出口５からの空気の吹出方向が基準方向とは異なる方向を通過するときの空気の吹出方向の回転速度より速くなるよう設定する。具体的に言えば、送風装置１は吹出口５からの空気の吹出方向が基準方向を中心とした３０°の角度範囲の方向であるときの空気の吹出方向の回転速度（回転部２の回転速度）が、吹出口５からの空気の吹出方向が基準方向を中心とした３０°の角度範囲を超える方向であるときの空気の吹出方向の回転速度（回転部２の回転速度）より速くなるよう設定する。これらの回転速度を異ならせる方法としては、首振モータ４１に対して適用されるＰＷＭ制御を利用する。
【００６２】
図１０には、下側に首振動作時の送風装置１の回転部２の回転状態を上面図で示し、上側に首振動作時の首振モータ４１のＰＷＭ制御波形を示している。図１０に示したように、吹出口５からの空気の吹出方向が基準方向を中心とした３０°の角度範囲の方向であるときの首振モータ４１に対するＰＷＭ制御のデューティー（Duty）比Ｄ３を吹出口５からの空気の吹出方向が基準方向を中心とした３０°の角度範囲を超える方向であるときの首振モータ４１に対するＰＷＭ制御のデューティー（Duty）比Ｄ４より大きくなるよう設定する。
【００６３】
＜第３実施形態＞
次に、本発明の第３実施形態の送風装置について、図１１を用いて説明する。図１１は送風装置の首振動作時における首振モータの制御方法を示す説明図である。なお、この実施形態の基本的な構成は先に説明した第１実施形態と同じであるので、第１実施形態と共通する構成要素には前と同じ符号を付してその説明を省略するものとする。
【００６４】
第３実施形態の送風装置１は、吹出口５からの空気の吹出方向が基準方向を通過するときの空気の吹出方向の回転速度が、吹出口５からの空気の吹出方向が基準方向とは異なる方向を通過するときの空気の吹出方向の回転速度より遅くなるよう設定する。具体的に言えば、送風装置１は吹出口５からの空気の吹出方向が任意の基準方向を中心とした３０°の角度範囲の方向であるときの空気の吹出方向の回転速度（回転部２の回転速度）が、吹出口５からの空気の吹出方向が基準方向を中心とした３０°の角度範囲を超える方向であるときの空気の吹出方向の回転速度（回転部２の回転速度）より遅くなるよう設定する。
【００６５】
図１１に示したように、吹出口５からの空気の吹出方向が基準方向を中心とした３０°の角度範囲の方向であるときの首振モータ４１に対するＰＷＭ制御のデューティー（Duty）比Ｄ５を吹出口５からの空気の吹出方向が基準方向を中心とした３０°の角度範囲を超える方向であるときの首振モータ４１に対するＰＷＭ制御のデューティー（Duty）比Ｄ６より小さくなるよう設定する。
【００６６】
＜第４実施形態＞
次に、本発明の第４実施形態の送風装置について、図１２を用いて説明する。図１２は送風装置の首振動作時における首振モータの制御方法を示す説明図である。なお、この実施形態の基本的な構成は先に説明した第１実施形態と同じであるので、第１実施形態と共通する構成要素には前と同じ符号を付してその説明を省略するものとする。
【００６７】
第４実施形態の送風装置１は、吹出口５からの空気の吹出方向が任意の基準方向から離れるに従って空気の吹出方向の回転速度を変化させる。例えば、送風装置１は吹出口５からの空気の吹出方向が基準方向から離れるに従って空気の吹出方向の回転速度が遅くなるよう設定する。すなわち、送風装置１は吹出口５からの空気の吹出方向が基準方向から離れるに従って回転部２の回転速度が遅くなるよう設定する。
【００６８】
図１２に示したように、送風装置１は吹出口５からの空気の吹出方向が基準方向から離れるに従って首振モータ４１に対するＰＷＭ制御のデューティー（Duty）比をＤ７、Ｄ８、Ｄ９、Ｄ１０及びＤ１１の５段階で設定する。さらに、送風装置１はそれらデューティー（Duty）比が吹出口５からの空気の吹出方向が基準方向から離れるに従って徐々に小さくなるようＤ７＞Ｄ８＞Ｄ９＞Ｄ１０＞Ｄ１１と設定する。これにより、吹出口５からの空気の吹出方向が基準方向を通過するときの回転部２の回転速度が最も速く、空気の吹出方向が基準方向から離れるに従って回転部２の回転速度が徐々に遅くなる。
【００６９】
＜第５実施形態＞
次に、本発明の第５実施形態の送風装置について、図１３を用いて説明する。図１３は送風装置の首振動作時における首振モータの制御方法を示す説明図である。なお、この実施形態の基本的な構成は先に説明した第１実施形態と同じであるので、第１実施形態と共通する構成要素には前と同じ符号を付してその説明を省略するものとする。
【００７０】
第５実施形態の送風装置１は、吹出口５からの空気の吹出方向が任意の基準方向から離れるに従って空気の吹出方向の回転速度が速くなるよう設定する。すなわち、送風装置１は吹出口５からの空気の吹出方向が基準方向から離れるに従って回転部２の回転速度が速くなるよう設定する。
【００７１】
図１３に示したように、送風装置１は吹出口５からの空気の吹出方向が基準方向から離れるに従って首振モータ４１に対するＰＷＭ制御のデューティー（Duty）比をＤ１２、Ｄ１３、Ｄ１４、Ｄ１５及びＤ１６の５段階で設定する。さらに、送風装置１はそれらデューティー（Duty）比が吹出口５からの空気の吹出方向が基準方向から離れるに従って徐々に大きくなるようＤ１２＜Ｄ１３＜Ｄ１４＜Ｄ１５＜Ｄ１６と設定する。これにより、吹出口５からの空気の吹出方向が基準方向を通過するときの回転部２の回転速度が最も遅く、空気の吹出方向が基準方向から離れるに従って回転部２の回転速度が徐々に速くなる。
【００７２】
＜第６実施形態＞
次に、本発明の第６実施形態の送風装置について、図１４を用いて説明する。図１４は送風装置の首振動作時におけるファンモータの制御方法を示す説明図である。なお、この実施形態の基本的な構成は先に説明した第１実施形態と同じであるので、第１実施形態と共通する構成要素には前と同じ符号を付してその説明を省略するものとする。
【００７３】
第６実施形態の送風装置１は、回転部２が任意の基準方向を中心とした所定角度範囲で吹出口５からの空気の吹出方向を回転変位させる、すなわち首振動作を行う場合に、吹出口５からの空気の吹出方向が基準方向を通過するときに吹き出される空気の流速と、吹出口５からの空気の吹出方向が基準方向とは異なる方向を通過するときに吹き出される空気の流速と、を異ならせる。
【００７４】
例えば、送風装置１は吹出口５からの空気の吹出方向が基準方向を通過するときに吹き出される空気の流速が、吹出口５からの空気の吹出方向が基準方向とは異なる方向を通過するときに吹き出される空気の流速より速くなるよう設定する。具体的に言えば、送風装置１は吹出口５からの空気の吹出方向が基準方向を中心とした３０°の角度範囲の方向であるときに吹き出される空気の流速が、吹出口５からの空気の吹出方向が基準方向を中心とした３０°の角度範囲を超える方向であるときに吹き出される空気の流速より速くなるよう設定する。これらの送風時の流速を異ならせる方法としては、ファンモータ４０に対して適用されるＰＷＭ制御を利用する。
【００７５】
図１４に示したように、吹出口５からの空気の吹出方向が基準方向を中心とした３０°の角度範囲の方向であるときのファンモータ４０に対するＰＷＭ制御のデューティー（Duty）比Ｄ１７を吹出口５からの空気の吹出方向が基準方向を中心とした３０°の角度範囲を超える方向であるときのファンモータ４０に対するＰＷＭ制御のデューティー（Duty）比Ｄ１８より大きくなるよう設定する。
【００７６】
＜第７実施形態＞
次に、本発明の第７実施形態の送風装置について、図１５を用いて説明する。図１５は送風装置の首振動作時におけるファンモータの制御方法を示す説明図である。なお、この実施形態の基本的な構成は先に説明した第１実施形態と同じであるので、第１実施形態と共通する構成要素には前と同じ符号を付してその説明を省略するものとする。
【００７７】
第７実施形態の送風装置１は、吹出口５からの空気の吹出方向が基準方向を通過するときに吹き出される空気の流速が、吹出口５からの空気の吹出方向が基準方向とは異なる方向を通過するときに吹き出される空気の流速より遅くなるよう設定する。具体的に言えば、送風装置１は吹出口５からの空気の吹出方向が任意の基準方向を中心とした３０°の角度範囲の方向であるときに吹き出される空気の流速が、吹出口５からの空気の吹出方向が基準方向を中心とした３０°の角度範囲を超える方向であるときに吹き出される空気の流速より遅くなるよう設定する。
【００７８】
図１５に示したように、吹出口５からの空気の吹出方向が基準方向を中心とした３０°の角度範囲の方向であるときのファンモータ４０に対するＰＷＭ制御のデューティー（Duty）比Ｄ１９を吹出口５からの空気の吹出方向が基準方向を中心とした３０°の角度範囲を超える方向であるときのファンモータ４０に対するＰＷＭ制御のデューティー（Duty）比Ｄ２０より小さくなるよう設定する。
【００７９】
＜第８実施形態＞
次に、本発明の第８実施形態の送風装置について、図１６を用いて説明する。図１６は送風装置の首振動作時におけるファンモータの制御方法を示す説明図である。なお、この実施形態の基本的な構成は先に説明した第１実施形態と同じであるので、第１実施形態と共通する構成要素には前と同じ符号を付してその説明を省略するものとする。
【００８０】
第８実施形態の送風装置１は、吹出口５からの空気の吹出方向が任意の基準方向から離れるに従って吹き出される空気の流速を変化させる。例えば、送風装置１は吹出口５からの空気の吹出方向が基準方向から離れるに従って吹き出される空気の流速が遅くなるよう設定する。
【００８１】
図１６に示したように、送風装置１は吹出口５からの空気の吹出方向が基準方向から離れるに従ってファンモータ４０に対するＰＷＭ制御のデューティー（Duty）比をＤ２１、Ｄ２２、Ｄ２３、Ｄ２４及びＤ２５の５段階で設定する。さらに、送風装置１はそれらデューティー（Duty）比が吹出口５からの空気の吹出方向が基準方向から離れるに従って徐々に小さくなるようＤ２１＞Ｄ２２＞Ｄ２３＞Ｄ２４＞Ｄ２５と設定する。これにより、吹出口５からの空気の吹出方向が基準方向を通過するときに吹き出される空気の流速が最も速く、吹出口５からの空気の吹出方向が基準方向から離れるに従って吹き出される空気の流速が徐々に遅くなる。
【００８２】
＜第９実施形態＞
次に、本発明の第９実施形態の送風装置について、図１７を用いて説明する。図１７は送風装置の首振動作時におけるファンモータの制御方法を示す説明図である。なお、この実施形態の基本的な構成は先に説明した第１実施形態と同じであるので、第１実施形態と共通する構成要素には前と同じ符号を付してその説明を省略するものとする。
【００８３】
第９実施形態の送風装置１は、吹出口５からの空気の吹出方向が任意の基準方向から離れるに従って吹き出される空気の流速が速くなるよう設定する。
【００８４】
図１７に示したように、送風装置１は吹出口５からの空気の吹出方向が基準方向から離れるに従ってファンモータ４０に対するＰＷＭ制御のデューティー（Duty）比をＤ２６、Ｄ２７、Ｄ２８、Ｄ２９及びＤ３０の５段階で設定する。さらに、送風装置１はデューティー（Duty）比が吹出口５からの空気の吹出方向が基準方向から離れるに従って徐々に大きくなるようＤ２６＜Ｄ２７＜Ｄ２８＜Ｄ２９＜Ｄ３０と設定する。これにより、吹出口５からの空気の吹出方向が基準方向を通過するときに吹き出される空気の流速が最も遅く、吹出口５からの空気の吹出方向が基準方向から離れるに従って吹き出される空気の流速が徐々に速くなる。
【００８５】
上記のように、送風装置１は、空気の吸込口４及び吹出口５を開口する本体筐体１Ｃと、吸込口４から本体筐体１Ｃの内部に吸い込んだ空気を吹出口５に向けて流通させる送風部７と、吹出口５からの空気の吹出方向を水平面内で回転変位させる回転部２と、を備える。さらに、送風装置１は、吹出口５が鉛直方向に沿って縦長の形状をなし、吹出口５からの空気の吹出方向の回転角度を任意の基準方向を中心とした第１所定角度範囲にして送風する第１回転モードと、吹出口５からの空気の吹出方向の回転角度を第１回転モードとは異なる任意の基準方向を中心とした第１回転モードより小さい第２所定角度範囲にして送風する第２回転モードと、を有し、第２回転モードの基準方向が第２回転モードで吹出口５からの空気の吹出方向を回転変位させる指示を受信部１０が受け付けたときの空気の吹出方向である。
【００８６】
この構成によれば、使用者がリモコン６０を操作して第２回転モードで首振動作を開始させる指示を受信部１０が受け付けたときの吹出口５からの空気の吹出方向が第２回転モードの基準方向となる。したがって、使用者が所望する吹出口５からの空気の吹出方向を基準方向にすることができ、容易に使用者に風が当たるようにすることが可能である。さらに、第２回転モードではその基準方向を中心とした比較的狭い角度範囲で送風装置１が首振動作を実行するので、送風の無駄が抑制され、使用者が好適な涼感を得ることが可能である。
【００８７】
そして、送風装置１は、第２回転モードにおける吹出口５からの空気の吹出方向の回転速度が、第１回転モードにおける吹出口５からの空気の吹出方向の回転速度より速い。
【００８８】
この構成によれば、縦方向に長く横方向に細い吹出口５からの空気を使用者へ送風する第２回転モードによる首振動作において、横方向に幅のある空気を受けていると使用者が感じることができる。したがって、使用者が好適な涼感を得ることが可能である。
【００８９】
また、送風装置１は、回転部２が任意の基準方向を中心とした所定角度範囲で吹出口５からの空気の吹出方向を回転変位させる場合に、吹出口５からの空気の吹出方向が基準方向を通過するときの空気の吹出方向の回転速度と、吹出口５からの空気の吹出方向が基準方向とは異なる方向を通過するときの空気の吹出方向の回転速度と、が異なる。
【００９０】
この構成によれば、基準方向の近傍の範囲における回転速度と、他の回転範囲における回転速度と、を切り替えることができる。例えば、基準方向の近傍の範囲における回転速度より他の回転範囲における回転速度のほうが速い場合、送風時間の無駄が抑制される。したがって、使用者が好適な涼感を得ることが可能である。
【００９１】
そして、送風装置１は、吹出口５からの空気の吹出方向が基準方向を通過するときの空気の吹出方向の回転速度が、吹出口５からの空気の吹出方向が基準方向とは異なる方向を通過するときの空気の吹出方向の回転速度より速い。
【００９２】
この構成によれば、基準方向の近傍の範囲における回転速度が他の回転範囲における回転速度より速いため、横方向に幅のある空気を受けていると使用者が感じることができる。したがって、使用者が好適な涼感を得ることが可能である。
【００９３】
さらに、送風装置１は、吹出口５からの空気の吹出方向が基準方向から離れるに従って空気の吹出方向の回転速度が変化する。
【００９４】
この構成によれば、回転中に急激な回転速度の変化が生じることを抑制できる。したがって、首振モータ４１の変動による慣性力を受け易い縦長の送風装置１の立設状態を安定させることが可能である。
【００９５】
また、送風装置１は、回転部２が任意の基準方向を中心とした所定角度範囲で吹出口５からの空気の吹出方向を回転変位させる場合に、吹出口５からの空気の吹出方向が基準方向を通過するときに吹き出される空気の流速と、吹出口５からの空気の吹出方向が基準方向とは異なる方向を通過するときに吹き出される空気の流速と、が異なる。
【００９６】
この構成によれば、縦方向に長く横方向に細い吹出口５からの空気を吹き出し、回転変位により所定の方向に送出される空気の流速が急激に変動する送風装置１において、横方向に一様の流速からなる空気を受けていると使用者が感じることができる。したがって、使用者が好適な涼感を得ることが可能である。
【００９７】
そして、送風装置１は、吹出口５からの空気の吹出方向が基準方向を通過するときに吹き出される空気の流速が、吹出口５からの空気の吹出方向が基準方向とは異なる方向を通過するときに吹き出される空気の流速より速い。
【００９８】
この構成によれば、使用者が所望する方向の流速が最も速く、その他の回転範囲における流速が遅くなる。よって、使用者が所望する方向のデューティー比のみ大きくなり、その他の回転範囲におけるデューティー比が小さくなるようにすることができる。したがって、使用者が所望する方向におけるファンモータ４０に与える電力のみ大きくなるため、送風装置１の省電力化が可能である。
【００９９】
さらに、送風装置１は、吹出口５からの空気の吹出方向が基準方向から離れるに従って吹き出される空気の流速が変化する。
【０１００】
この構成によれば、ファンモータ４０の回転中に急激な回転速度の変化が生じることを抑制できる。したがって、ファンモータ４０の変動による慣性力を受けやすい縦長の送風装置１の立設状態を安定させることが可能である。
【０１０１】
このようにして、本発明の上記実施形態の構成によれば、空気の吹出口５が鉛直方向に沿って縦長の形状をなす場合であっても、任意の方向に効果的に送風することが可能な送風装置１を提供することができる。
【０１０２】
以上、本発明の実施形態につき説明したが、本発明の範囲はこれに限定されるものではなく、発明の主旨を逸脱しない範囲で種々の変更を加えて実施することができる。
【０１０３】
例えば、上記実施形態では、送風装置１の首振動作における第１回転モードの第１所定角度範囲を３０°、６０°、９０°及び１２０°の４種類とし、第２回転モードの第２所定角度範囲を１５°としたが、第１所定角度範囲及び第２所定角度範囲はこれらの角度範囲に限定されるわけではなく、他の角度範囲であっても構わない。また、第１所定角度範囲として３６０°回転できるようにしても良い。
【０１０４】
また、上記実施形態では、パーソナルモードボタン６０ｍが押されたという信号を受信部１０が受信したときの吹出口５からの空気の吹出方向が基準方向として設定されることとしたが、さらにその後、送風装置１がセンサ等を用いてリモコン６０が存在する方向を検知し、リモコン６０が存在する方向に基準方向を合わせるようにしても良い。また、角度調整ボタン等を設け、設定された基準方向を使用者が手動で微調整できるようにしても良い。
【産業上の利用可能性】
【０１０５】
本発明は空気の吹出口が鉛直方向に沿って縦長の形状をなす送風装置において利用可能である。
【符号の説明】
【０１０６】
１    送風装置
１Ｃ    本体筐体
２    回転部
３    設置部
４    吸込口
５    吹出口
６    操作パネル
７    送風部
１０    受信部
２０    送風通路
３０    イオン発生装置
４０    ファンモータ
４１    首振モータ
５０    制御部
６０    リモコン
【図１】
2015118708.tif 000003
【図２】
2015118708.tif 000004
【図３】
2015118708.tif 000005
【図４】
2015118708.tif 000006
【図５】
2015118708.tif 000007
【図６】
2015118708.tif 000008
【図７】
2015118708.tif 000009
【図８】
2015118708.tif 000010
【図９】
2015118708.tif 000011
【図１０】
2015118708.tif 000012
【図１１】
2015118708.tif 000013
【図１２】
2015118708.tif 000014
【図１３】
2015118708.tif 000015
【図１４】
2015118708.tif 000016
【図１５】
2015118708.tif 000017
【図１６】
2015118708.tif 000018
【図１７】
2015118708.tif 000019
【国際調査報告】
2015118708.tif 000020
2015118708.tif 000021
2015118708.tif 000022
2015118708.tif 000023